(57)【要約】本発明は容器に取り付けられる容器蓋、より詳しくは、任意に開放されることを防止し得る容器蓋に関するもので、容器の容器入口に取り付けられる内部蓋と、上記内部蓋の外周面に上記内部蓋に対して空回転できるように配置される外部蓋と、上記内部蓋と上記外部蓋間に形成され、上記外部蓋を所定力以上で下側方向へ移動させるときのみ上記外部蓋の開方向の回転力を上記内部蓋に伝達する回転力伝達部と、上記外部蓋と上記内部蓋の間に設けられて上記外部蓋と上記内部蓋の間隔を維持させるスペーサーにより支持され上記外部蓋の上面の一部を形成しながら上記外部蓋に分離可能に設けられて、上記内部蓋と上記外部蓋間に形成されて上記外部蓋を所定力以上で下側方向へ移動させて上記外部蓋の開方向の回転力を上記内部蓋に伝達しても上記外部蓋が上記内部蓋に対して開方向に空回転だけができるようにして、上記外部蓋から分離された後は上記回転力伝達部により上記外部蓋を所定力以上で下側方向へ移動させる場合に上記外部蓋の回転力を上記内部蓋に伝達する保護板と、を含む容器蓋を開示する。
2011500472.tif 000002
【特許請求の範囲】
【請求項１】
容器の容器入口に取り付けられる内部蓋と、
上記内部蓋の外周面に上記内部蓋に対して空回転できるように配置される外部蓋と、
上記内部蓋と上記外部蓋間に形成され、上記外部蓋を所定力以上で下側方向へ移動させるときのみ上記外部蓋の開方向の回転力を上記内部蓋に伝達する回転力伝達部と、
上記外部蓋と上記内部蓋の間に設けられて上記外部蓋と上記内部蓋の間隔を維持させるスペーサーにより支持され上記外部蓋の上面の一部を形成しながら上記外部蓋に分離可能に設けられて、上記内部蓋と上記外部蓋間に形成されて上記外部蓋を所定力以上で下側方向へ移動させて上記外部蓋の開方向の回転力を上記内部蓋に伝達しても上記外部蓋が上記内部蓋に対して開方向に空回転だけができるようにして、上記外部蓋から分離された後は上記回転力伝達部により上記外部蓋を所定力以上で下側方向へ移動させる場合に上記外部蓋の回転力を上記内部蓋に伝達する保護板と、
を含むことを特徴とする容器蓋。
【請求項２】
上記スペーサーは、上記保護板の底面または上記内部蓋の上側面から突出して形成されることを特徴とする請求項１に記載の容器蓋。
【請求項３】
上記スペーサーは、上記保護板の底面または上記内部蓋の上側面から突出して形成された一つ以上の柱であることを特徴とする請求項１に記載の容器蓋。
【請求項４】
上記保護板と上記外部蓋の間には上記外部蓋との分離が容易になるように切り溝が形成されることを特徴とする請求項１に記載の容器蓋。
【請求項５】
上記保護板と上記外部蓋は上記外部蓋との分離が容易になるように複数個のブリッジにより連結されることを特徴とする請求項１に記載の容器蓋。
【請求項６】
上記保護板は、上記外部蓋と分離された後上記外部蓋との結合状態を維持するように一部が結合されたことを特徴とする請求項１に記載の容器蓋。
【請求項７】
上記回転力伝達部は、
上記内部蓋の外側面に円周方向に形成される一つ以上の第１キーと、
上記外部蓋の内側面に円周方向に形成されて上記外部蓋を所定力以上で押す場合にだけ上記第１キーと噛合されて上記外部蓋の開方向の回転力を上記内部蓋に伝達する一つ以上の第２キーと、
を含むことを特徴とする請求項１に記載の容器蓋。
【請求項８】
上記第１キーは、上記内部蓋の閉方向に上記外部蓋の第２キーが係止されるように突条が形成され、上記内部蓋の開方向に上記外部蓋の第２キーが接触すると乗り越えるように傾斜面が形成されたことを特徴とする請求項７に記載の容器蓋。
【請求項９】
上記スペーサーは、上記保護板が上記外部蓋に結合された状態で上記第１キーと上記第２キーが噛合しないように上記内部蓋の上側面と上記外部蓋の下側面の間隔を維持させることを特徴とする請求項７に記載の容器蓋。
【請求項１０】
上記第２キーは、上記外部蓋の閉方向に上記第２キーの突条が係止されるように突条が形成され、上記外部蓋の開方向に上記第２キーの傾斜面が接触すると乗り越えるように傾斜面が形成されたことを特徴とする請求項７に記載の容器蓋。
【請求項１１】
上記外部蓋の内側面と上記内部蓋の外側面に形成されて上記外部蓋の閉方向の回転力を上記内部蓋に伝達する逆回転力伝達部を追加含むことを特徴とする請求項１に記載の容器蓋。
【請求項１２】
上記逆回転力伝達部は、
開方向に傾斜面を形成し閉方向には突条を形成するように上記内部蓋の側面外周面に形成された第１傾斜突起と、
上記第１傾斜突起に対応して開方向に傾斜面を形成し上記第１傾斜突起の傾斜面を乗り越えて上記外部蓋が上記内部蓋に対して空回転し、閉方向では突条を形成して上記第１傾斜突起の突条に係止されて上記外部蓋の閉方向の回転力を上記内部蓋に伝達するように上記外部蓋の内周面に形成された第２傾斜突起と、
を含むことを特徴とする請求項１１に記載の容器蓋。
【請求項１３】
上記回転力伝達部は、
上記内部蓋の外側面に円周方向に形成されて開方向に傾斜面が形成された一つ以上の第１キーと、
上記外部蓋の内側面に円周方向に形成されて上記外部蓋を所定力以上で押すときにだけ上記第１キーと噛合して上記外部蓋の開方向の回転力を上記内部蓋に伝達する一つ以上の第２キーと、
を含むことを特徴とする請求項１２に記載の容器蓋。
【請求項１４】
上記第１キーは、第１傾斜部及び上記第１傾斜部よりも高い第２傾斜部を含むことを特徴とする請求項１３に記載の容器蓋。
【請求項１５】
上記逆回転力伝達部は
上記内部蓋の外面または上記外部蓋の内面に所定の力以上が加えられると分離されるように形成された一つ以上の第１突起部と、
上記外部蓋が閉方向に回転する時に上記内部蓋に回転力を伝達するよう上記第１突起部に対応して接するように上記外部蓋の内面または上記内部蓋の外面に形成された一つ以上の第２突起部と、
を含むことを特徴とする請求項１１に記載の容器蓋。
【請求項１６】
上記逆回転力伝達部は、
上記内部蓋の上面または上記外部蓋の底面に所定の力以上が加えられると分離されるように形成された一つ以上の第１突起部と、
上記外部蓋が閉方向に回転する時に上記内部蓋に回転力を伝達するよう上記第１突起部に対応して接するように上記外部蓋の内面または上記内部蓋の外面に形成された一つ以上の第２突起部と、
を含むことを特徴とする請求項１１に記載の容器蓋。
【請求項１７】
上記第１突起部及び上記第２突起部は、内部蓋の上面中央の対応する位置に形成されることを特徴とする請求項１６に記載の容器蓋。
【請求項１８】
上記第２突起部は、上記第１突起部が挿入される凹溝部が形成されることを特徴とする請求項１６に記載の容器蓋。
【請求項１９】
上記スペーサーは、上記内部蓋の上面または上記保護板の底面から突出形成された環状のリング部を有することを特徴とする請求項１７または１８に記載の容器蓋。
【請求項２０】
上記スペーサーは、上記内部蓋の上面または上記保護板の底面から突出形成され円周方向に一つ以上切り目が入った切欠部が形成された環状のリング部を有することを特徴とする請求項１１に記載の容器蓋。
【請求項２１】
上記逆回転力伝達部は、
上記内部蓋の閉方向にだけ上記リング部の切欠部に係止されるように上記外部蓋の内面または上記内部蓋の外面に形成される一つ以上の逆回転突起部を含むことを特徴とする請求項２０に記載の容器蓋。
【請求項２２】
上記逆回転突起部は、上記内部蓋の閉方向にだけ上記リング部の切欠部に係止される係止面と、上記係止面から上記開方向に上記一部から遠ざかるように傾斜面を有することを特徴とする請求項２１に記載の容器蓋。
【請求項２３】
上記リング部は、上記逆回転突起部の係止面と係止されるように上記逆回転突起部側に更に突出することを特徴とする請求項２０または２１に記載の容器蓋。
【請求項２４】
上記リング部は、上記逆回転突起部の係止面と係止されるように上記逆回転突起部側に更に突出することを特徴とする請求項２０または２１に記載の容器蓋。
【請求項２５】
上記スペーサーは、上記内部蓋の上面または上記保護板の底面から突出形成された環状のリング部を有し、
上記逆回転突起部は、上記スペーサーの環状のリング部の外周面に形成された一つ以上の第１突起部と、上記外部蓋に形成されて上記第１突起部と閉方向にだけ係止される一つ以上の第２突起部と、を含むことを特徴とする請求項１１に記載の容器蓋。
【請求項２６】
上記第１突起部及び上記第２突起部は、閉方向に相互対向する面はそれぞれ突条を形成して開方向であるその反対面はそれぞれ傾斜面を形成することを特徴とする請求項２５に記載の容器蓋。
【請求項２７】
上記内部蓋に形成されて、上記内部蓋を容器入口から分離すると上記容器入口にシーリングされるシーリング部材を除去し、除去されたシーリング部材を内部蓋の内部に収納するシーリング部材除去ユニットを更に含むことを特徴とする請求項１に記載の容器蓋。
【請求項２８】
上記シーリング部材除去ユニットは、
上記内部蓋の内部に上下方向へ移動可能に配置される押圧板と、
上記押圧板の下面縁部に円周方向に少なくとも一つ以上形成されて上記押圧板を押すとシーリング部材を突抜いて入り上記内部蓋を回転させるとシーリング部材をカッティングするカッターと、
上記押圧板の下面に下側方向へ突出形成されてカッターによりカッティングされたシーリング部材を本体の内部に収納する係止部と、
上記押圧板の外周面と上記内部蓋の内周面間に連結されて上記押圧板が上下方向へ移動できるように弾性変形される連結部と、
を含むことを特徴とする請求項２７に記載の容器蓋。
【請求項２９】
上記押圧板は、
上記外部蓋の中心を包含しながらその中心が上記外部蓋の中心と偏心するように形成されることを特徴とする請求項２８に記載の容器蓋。
【請求項３０】
上記内部蓋は、
上端と下端が開放され、その下側内周面には上記容器入口の外周面に形成された雄ねじ部に螺合される雌ねじ部が形成されて、その下端外周面には上記外部蓋から離脱することを防止する離脱防止突条が突出して形成されることを特徴とする請求項１に記載の容器蓋。
【請求項３１】
上記外部蓋は、
上記内部蓋に上下方向へ移動可能に挿入され、その上端と下端がそれぞれ開放されて、その外周面には手で握って回しやすいように複数の凹凸突条が形成され、その下端内周面には上記内部蓋に係止される離脱防止突起が突出して形成されることを特徴とする請求項１に記載の容器蓋。
【請求項３２】
上記外部蓋の上端には上記内部蓋の上面に支持されて上記外部蓋が内部蓋から上側方向へ移動した状態を維持させる弾性力を付与する弾性部材が形成されることを特徴とする請求項１に記載の容器蓋。
【請求項３３】
上記弾性部材は、自体的に撓みながら所定弾性力を発生する薄膜状に形成されることを特徴とする請求項３２に記載の容器蓋。
【請求項３４】
上記スペーサーは、上記内部蓋の上面または上記保護板の底面から突出形成された環状のリング形状を有することを特徴とする請求項２に記載の容器蓋。
【請求項３５】
容器の容器入口に取り付けられる内部蓋と、
上記内部蓋の外周面に上記内部蓋に対して空回転できるように配置される外部蓋と、
上記内部蓋と上記外部蓋間に形成され、上記外部蓋を所定力以上で下側方向へ移動させるときにだけ上記外部蓋の開方向の回転力を上記内部蓋に伝達する回転力伝達部と、
上記外部蓋と上記内部蓋間に設けられ、上記外部蓋を所定力以上で下側方向へ移動させて上記外部蓋の開方向の回転力を上記内部蓋に伝達しても上記外部蓋が上記内部蓋に対して開方向に空回転だけができるように上記外部蓋と上記内部蓋の間隔を維持させるスペーサーと、
を含むことを特徴とする容器蓋。
【請求項３６】
上記スペーサーは、上記外部蓋の下端付近または上記内部蓋の下端付近に分離可能に設けられ、上記外部蓋の下端付近または上記内部蓋の下端から分離された時にだけ上記外部蓋を所定力以上で下側方向へ移動させて上記外部蓋の開方向の回転力を上記内部蓋に伝達することを特徴とする請求項３５に記載の容器蓋。
【発明の詳細な説明】
【技術分野】
【０００１】
本発明は、容器に取り付けられる容器蓋に関するもので、より詳しくは、任意に開封されることを防止し得る容器蓋に関するものである。
【背景技術】
【０００２】
一般に猛毒性薬物が貯蔵された容器、洗剤などが貯蔵された容器、一般家庭医薬品が貯蔵される容器などには子供が蓋を容易に開封できないように子供保護用の蓋の取り付けが義務付けられている傾向である。
【０００３】
図１は、従来技術に係る子供保護用の蓋を示した断面図である。
【０００４】
従来技術に係る子供保護用の蓋は、容器１５０に形成されて上記容器１５０に貯蔵された内容物が排出される容器入口１５２に取り付けられる内部蓋１５４と、上記内部蓋１５４の外部に配置されて上記内部蓋１５４が一定範囲内で上下方向へ移動される外部蓋１５６と、上記内部蓋１５４と外部蓋１５６間に形成されて上記外部蓋１５６を下側方向へ押すときにだけ上記外部蓋１５６の回転力を上記内部蓋１５４に伝達して内部蓋１５４を回転させる回転力伝達部１６０と、により構成される。
【０００５】
上記容器１５０の容器入口１５２の上面には上記容器１５０に貯蔵された内容物を保護するためのシーリング部材１７０が接着されている。
【０００６】
上記内部蓋１５４の下側には容器入口１５２の外周面に形成された雄ねじ部１７２に螺合される雌ねじ部１７４が形成されて、上記外部蓋１５６の下端内側外周面には上記内部蓋１５４が外部蓋１５６から離脱することを防止する係止突条１７８が突出される。
【０００７】
上記回転力伝達部１６０は、上記内部蓋１５４の外側上面に放射状に所定間隔を有して配置され所定幅だけ上側方向に突出して形成される複数の第１係止突起１６４と、上記外部蓋１５６の内側上面に放射状に所定間隔を有して配置され下側方向に所定幅だけ突出して形成されて上記第１係止突起１６４に係止される複数の第２係止突起１６６と、により構成される。
【０００８】
このように構成される従来技術に係る子供保護用の蓋は、内部蓋１５４が容器入口１５２に取り付けられた状態で上記外部蓋１５６が内部蓋１５４の外周面で空回転するため、外部蓋１５６を回してもその回転力が内部蓋１５４に伝達されず、子供が容易に開封することができない。
【０００９】
そして、蓋を開封する場合、外部蓋１５６を下側方向へ押すと上記内部蓋１５４に形成された複数の第１係止突起１６４間の空間に外部蓋１５６に形成された複数の第２係止突起１６６が挿入されて相互噛合された状態になり、このような状態で外部蓋１５６を回転させると、その回転力が内部蓋１５４に伝達されて内部蓋１５４も回転されながら内部蓋１５４が容器入口１５２から分離される。
【００１０】
上記蓋を容器入口１５２から分離した後、容器入口１５２にシーリングされたシーリング部材１７０を手で取外して除去したり、ナイフなど別途の道具を使用して除去した後容器１５０に貯蔵された内容物を容器入口１５２を通して排出させる。
【００１１】
しかし、上述したような従来技術に係る子供保護用の容器蓋は、容器の蓋を容器１５０から分離した後、容器入口１５２に接着、密封されているシーリング部材１７０を手で取外して除去したり、ナイフなど別途の道具を使用して除去するべきであるため使用が不便であるという不都合な点があった。
【００１２】
特に、シーリング部材１７０を手で取外すとき、シーリング部材１７０と容器入口１５２の縁部間の接着力が強くてシーリング部材１７０が縁部から容易に分離されないので何回も手で取外すべきであって不便で、その時容器入口１５２に手が接触するので衛生上の問題点を招くことがあった。
【００１３】
更に、従来技術に係る子供保護用の蓋は複数の係止突起１６４、１６６が内部蓋１５４と外部蓋１５６の上側にそれぞれ形成され、外部蓋１５６を上側方向へ押上げる構造がないので外部蓋１５６が自重により下側方向に下降され、従って、外部蓋１５６の第２係止突起１６６と内部蓋１５４の第１係止突起１６４間が互いに係止状態になって子供が蓋を開封することがたびたび発生する問題点があった。
【００１４】
一方、従来技術に係る子供保護用の蓋は、子供が容器の蓋を開封することができない構造を有しているが、もし、任意に開封されたとしてもその開封可否を確認することができないという問題点があった。
【００１５】
また、容器の蓋を任意に開封することができる場合、例えば、洋酒など高い値段の内容物の代わりに偽の内容物を注入して販売するなど、善良な供給者または消費者に予想もしない損害を負わせるという問題点を有していた。
【発明の概要】
【発明が解決しようとする課題】
【００１６】
本発明の目的は、上記したような従来技術の問題点を解決するために、容器の蓋が任意に開封された場合、その開封可否を確認することができる容器の蓋を提供しようとする。
【００１７】
本発明の他の目的は、容器に一度取り付けられると、その開封痕跡が残るようにして任意に開封されることを防止して開封可否を確認することができる容器の蓋を提供しようとする。
【課題を解決するための手段】
【００１８】
本発明は、上記のような本発明の目的を達成するために鑑みたもので、本発明は、容器の容器入口に取り付けられる内部蓋と、上記内部蓋の外周面に上記内部蓋に対して空回転できるように配置される外部蓋と、上記内部蓋と上記外部蓋間に形成され、上記外部蓋を所定力以上で下側方向へ移動させるときのみ上記外部蓋の開方向の回転力を上記内部蓋に伝達する回転力伝達部と、上記外部蓋と上記内部蓋の間に設けられて上記外部蓋と上記内部蓋の間隔を維持させるスペーサーにより支持され上記外部蓋の上面の一部を形成しながら上記外部蓋に分離可能に設けられて、上記内部蓋と上記外部蓋間に形成されて上記外部蓋を所定力以上で下側方向へ移動させて上記外部蓋の開方向の回転力を上記内部蓋に伝達しても上記外部蓋が上記内部蓋に対して開方向に空回転だけができるようにして、上記外部蓋から分離された後は上記回転力伝達部により上記外部蓋を所定力以上で下側方向へ移動させる場合に上記外部蓋の回転力を上記内部蓋に伝達する保護板と、を含む容器蓋を開示する。
【００１９】
更に、本発明は、容器の容器入口に取り付けられる内部蓋と、上記内部蓋の外周面に上記内部蓋に対して空回転できるように配置される外部蓋と、上記内部蓋と上記外部蓋間に形成され、上記外部蓋を所定力以上で下側方向へ移動させるときにだけ上記外部蓋の開方向の回転力を上記内部蓋に伝達する回転力伝達部と、上記外部蓋と上記内部蓋間に設けられ、上記外部蓋を所定力以上で下側方向へ移動させて上記外部蓋の開方向の回転力を上記内部蓋に伝達しても上記外部蓋が上記内部蓋に対して開方向に空回転だけができるように上記外部蓋と上記内部蓋の間隔を維持させるスペーサーと、を含む容器蓋を開示する。
【発明の効果】
【００２０】
本発明に係る容器蓋は、容器に一度取り付けられた後は保護板を除去しないと容器を開封することができないように構成して、容器蓋が任意に開封されることを防止し得るメリットがある。
【００２１】
本発明に係る容器蓋は、容器に取り付けられた保護板を必ず除去してのみ開封できるように構成して、一度開封された後はその開封痕跡が残って開封可否を確認することができるというメリットがある。
【図面の簡単な説明】
【００２２】
【図１】従来技術に係る子供保護用の蓋を示した断面図である。
【図２】従来技術に係る子供保護用の蓋の作動状態図である。
【図３】本発明の第１の実施例に係る容器蓋を示した斜視図である。
【図４】図３の容器蓋を示した断面図である。
【図５】図３の容器蓋の内部蓋を示した斜視図である。
【図６】図３の容器蓋の外部蓋を示した斜視図である。
【図７】図３の容器蓋の内部蓋及び外部蓋にそれぞれ形成された第１キー及び第２キーを示した斜視図である。
【図８】図７の第１キー及び第２キーを示した断面図である。
【図９】図３の容器蓋から保護板が除去された状態を示した断面図である。
【図１０】図３のＡ−Ａ’方向の断面図であって、図３の容器蓋の作動を示した断面図である。
【図１１】図３のＡ−Ａ’方向の断面図であって、図３の容器蓋の作動を示した断面図である。
【図１２】（原文に記載なし）
【図１３】（原文に記載なし）
【図１４】図３の容器蓋の第１キー及び第２キーの作動過程を示した概念図である。
【図１５】図３の容器蓋の第１キー及び第２キーの作動過程を示した概念図である。
【図１６】図３の容器蓋の第１キー及び第２キーの作動過程を示した概念図である。
【図１７】本発明の第２の実施例に係る容器蓋を示した断面図である。
【図１８】図１７の容器蓋の内部蓋を示した斜視図である。
【図１９】図１７の容器蓋のシーリング部材除去ユニットのカッターを示した斜視図である。
【図２０】図１７の容器蓋のシーリング部材除去ユニットの係止部を示した斜視図である。
【図２１】図１７の容器蓋でシーリング部材除去ユニットがシーリング部材を切断した状態を示した断面図である。
【図２２】図１７の容器蓋の変形例を示した断面図である。
【図２３】図２２の容器蓋でシーリング部材除去ユニットがシーリング部材を切断した状態を示した断面図である。
【図２４】本発明の第３の実施例に係る容器蓋を示した断面図である。
【図２５】図２４の容器蓋から保護板が除去された状態を示した断面図である。
【図２６】図２４の容器蓋の第１キー及び第２キーの作動過程を示した概念図である。
【図２７】図２４の容器蓋の第１キー及び第２キーの作動過程を示した概念図である。
【図２８】図２４の容器蓋の第１キー及び第２キーの作動過程を示した概念図である。
【図２９】図２４の容器蓋の第１キー及び第２キーの作動過程を示した概念図である。
【図３０】本発明の第４の実施例に係る容器蓋を示した断面図である。
【図３１】図３０の容器蓋からスペーサー３５０が除去された状態を示した断面図である。
【図３２】本発明の第５の実施例に係る容器蓋を示した断面図である。
【図３３】図３２のIV−IV方向を示した断面図である。
【図３４】図３２のIV−IV方向を示した断面図である。
【図３５】図３２の容器蓋においてスペーサー及び逆回転力伝達部の変形例で外部蓋が閉方向に回転する時を示した概念図である。
【図３６】図３５の容器蓋で外部蓋が開方向に回転する時を示す概念図である。
【図３７】図３５の容器蓋で外部蓋が閉方向に回転する時を示す概念図である。
【図３８】本発明の第６実施例に係る容器蓋を示した断面図である。
【図３９】図３８の分解状態を示す断面図である。
【図４０】図３８の容器蓋が容器蓋に結合した状態を示す断面図である。
【図４１】図３８の容器蓋の内部蓋を示した斜視図である。
【発明を実施するための形態】
【００２３】
本発明の技術的要旨は、容器と結合する内部蓋と、内部蓋と結合し噛合により回転力を内部蓋に伝達する外部蓋と、により容器蓋を構成し、容器蓋が容器に取り付けられた後、外部蓋が開方向では空回転になるように内部蓋との間隔を維持させるスペーサーを設けることを特徴とする。
【００２４】
以下、本発明に係る容器蓋に関し添付の図面及び実施例に基づいて詳細に説明する。
【００２５】
本発明の第１の実施例に係る容器蓋は、容器１０に貯蔵された内容物が外部に排出される容器入口１２に取り付けられる内部蓋１４と、内部蓋１４の外周面に内部蓋１４と空回転できるように配置される外部蓋１６と、内部蓋１４と外部蓋１６間に形成され、外部蓋１６を所定力以上で下側方向へ移動させるときだけ外部蓋１６の回転力を上記内部蓋１４に伝達する回転力伝達部１８と、外部蓋１６と内部蓋１４間に設けられてそれら外部蓋１６と内部蓋１４の間隔を維持させるスペーサー１５により支持され、外部蓋１６の上面の一部を構成しながら外部蓋１６に分離可能に設けられて外部蓋１６が内部蓋１４に対して開方向に空回転だけができるようにして、外部蓋１６から分離された後は回転力伝達部１８により外部蓋１６を所定力以上で下側方向へ移動させる場合に外部蓋１６の回転力を内部蓋１４に伝達する保護板１３と、を含んで構成されている。
【００２６】
上記容器１０は猛毒性薬物、洗剤、一般家庭医薬品など子供に危ない内容物、精製形態の内容物、粉形態の内容物など様々な内容物を貯蔵することができる。
【００２７】
そして、内容物が外部に排出される容器入口１２には容器入口１２をシーリングして容器１０に貯蔵された内容物を保護するシーリング部材２０が接着される。ここで、上記シーリング部材２０は、紙材質またはアルミニウム箔板材ジルなどナイフなどにより除去しやすい材質で形成することが好ましい。
【００２８】
上記内部蓋１４は、上端と下端が開放された円筒形態で、下側内周面には容器入口１２の外周面に形成された雄ねじ部２４に螺合される雌ねじ部２６が形成され、雌ねじ部２６の上側内周面には容器入口１２の上端が密着されるように内側周縁方向に突出して密着部２８が形成される。
【００２９】
更に、上記内部蓋１４の下端外周面には外部蓋１６から離脱することを防止する離脱防止突条１１が突出して形成される。この時、外部蓋１６の下端内周面にも内部蓋１４の離脱を防止するための離脱防止突条１４ａの代わりに外部離脱防止突条１６ｂが形成されるか一緒に形成される。
【００３０】
上記外部蓋１６は、上記内部蓋１４に外部に上下方向へ移動可能に挿入されその上端と下端がそれぞれ開放された円筒形態であり、その外周面には手で握って回し易いように複数の凹凸突条１６ｃが形成される。
【００３１】
上記回転力伝達部１８は、内部蓋１４の外側面に円周方向に形成される一つ以上の第１キー４０と、外部蓋１６の内側面に円周方向に形成されて外部蓋１６を所定力以上で押すときにだけ第１キー４０と噛合して外部蓋１６の開方向の回転力を内部蓋１４に伝達する一つ以上の第２キー４２と、を含んで構成される。
【００３２】
上記第１キー４０は、等間隔を有して円周方向に沿って複数個に配置されるなど様々な形状が可能で、内部蓋１４の閉方向に外部蓋１６の第２キー４２が係止されるように突条が形成され、内部蓋１４の開方向に外部蓋１６の第２キー４２が押しによって接触しても乗り越えるように傾斜面が形成される。
【００３３】
一方、上記第２キーも等間隔を有して円周方向に沿って複数個に配置されるなど様々な形状が可能で、外部蓋１６の閉方向に第１キー４０の突条が係止されるように突条が形成され、外部蓋１６の開方向に第１キー４０の傾斜面が接触する場合でも乗り越えるように傾斜面が形成される。
【００３４】
ここで、上記第１キー４０及び第２キー４２は外部蓋１６の押しによって相互噛合する構造であれば何れでも可能で、内部蓋１４の外側面及び外部蓋１６の内側面のどこでも形成することができる。
【００３５】
一方、上記第１キー４０及び第２キー４２は相互一定した間隔を維持する必要があるので、内部蓋１４の上面に支持されて外部蓋１６が内部蓋１４から上側方向へ移動した状態を維持させる弾性部材（未図示）が形成される。
【００３６】
ここで、上記弾性部材は、開方向に空回転だけを可能にするスペーサーとは違い、自体的に撓みながら所定弾性力を発生する薄膜状に形成されて、その端部が内部蓋１４の上面に支持されて外部蓋１６に上側方向へ移動する弾性力を付与して外部蓋１６が上側方向へ移動した状態を維持させる。
【００３７】
そして、上記外部蓋１６を下側方向へ押すと、弾性部材が弾性変形されて外部蓋１６が下側方向へ移動され、外部蓋１６に作用する力が除去されると、弾性部材の自体弾性力により外部蓋１６が上側方向へ移動して元の位置に復帰する。
【００３８】
このような回転力伝達部１８は、所定力で外部蓋１６を押してない場合は外部蓋１６に弾性部材による弾性力が作用するので外部蓋１６が完全に押圧されず、従って、内部蓋１４の第１キー４０と外部蓋１６の第２キー４２が相互完全に挿入されない状態になって、外部蓋１６を回転させても、第２キー４２が第１キー４０の傾斜面を乗り越えるので外部蓋１６の回転力が内部蓋１４に伝達されず、容器蓋が開封されることを防止する。
【００３９】
上記保護板１３は、外部蓋１６の上側内周面に所定間隔を有して配置される円形板状に形成され、保護板１３の外周面と外部蓋１６の上側内周面の間には上記保護板１３が外部蓋１６に固定された状態を維持させて保護板１３が下側方向へ移動すると連結部位が切断される複数個のブリッジ１７によって相互連結される。ここで、上記保護板１３と外部蓋１６はブリッジ１７の他にその分離が容易になるように切り溝を形成することもできる。
【００４０】
一方、上記保護板１３は、使用者が外部蓋１６から容易に分離できるように保護板１３が半径方向に露出されるように外部蓋１６に凹部１６ａを形成される。この時、上記保護板１３は、図４に示したように、半径方向に露出された部分から半径方向へ更に突出して形成することができる。
【００４１】
また、上記保護板１３は、使用者が外部蓋１６から分離する時、その分離痕跡が残るように複数の断片に割れるように構成するか、変形された場合は変色するように構成することができる。
【００４２】
上記スペーサー１５は、内部蓋１４の第１キー４０と外部蓋１６の第２キー４２が外部蓋１６に力を加えても噛合できるように内部蓋１４と外部蓋１６の間隔を一定に維持するように構成される。
【００４３】
上記スペーサー１５は、保護板１３の底面を支持して外部蓋１６と一定間隔を維持する構成であれば如何なる構成でも可能で、保護板１３の底面または内部蓋１４の上側面から突出して形成される。
【００４４】
そして、上記スペーサー１５は、保護板１３の底面または内部蓋１４の上側面から突出して形成された一つ以上の柱など様々な構成が可能である。ここで、上記スペーサー１５は、柱の他に後述する第３の実施例と同様に環状のリング、プレートなどに形成するか、第４の実施例と同様に内部蓋１４または外部蓋１６の下端に設けられるスカートに構成するなど多様に構成することができる。
【００４５】
一方、本発明に係る容器蓋は、スペーサー１５により支持される保護板１３が設けられた場合、外部蓋１６が内部蓋１４に対して空回転だけが可能であるので、容器１０の取り付けのために閉方向では回転力を伝達するための構成、即ち、逆回転伝達部の構成が必要である。
【００４６】
上記逆回転力伝達部は、開方向に傾斜面３４ａを形成して閉方向では突条３４ｂを形成するように内部蓋１４の側面外周面に形成された第１傾斜突起３４と、第１傾斜突起３４に対応して開方向に傾斜面３６ａを形成して第１傾斜突起３４の傾斜面３４ａを乗り越えて外部蓋１６が内部蓋１４に対して空回転し、閉方向では突条３６ｂを形成して第１傾斜突起３６の突条に係止されて外部蓋１６の閉方向の回転力が内部蓋１４に伝達されるように外部蓋１６の内周面に形成された第２傾斜突起３６と、を含んで構成される。
【００４７】
上記のような第１傾斜突起３４及び第２傾斜突起３６により構成される逆回転伝達部によって開方向では空回転が可能でありながら閉方向では外部蓋１６の回転力が内部蓋１４に伝達されるようにして容器１０への容器蓋の取り付けが可能になる。
【００４８】
一方、逆回転伝達部の他の例として第１キー４０及び第２キー４２の形状及び高さを調節して構成することができる。
【００４９】
即ち、上記逆回転伝達部の構成は、第１キー４０に内部蓋１４の閉方向に外部蓋１６の第２キー４２が係止されるように突条を形成し、内部蓋１４の開方向に外部蓋１６の第２キー４２が接触すると乗り越えるように傾斜面を形成することによって具現することができる。この時、第２キー４２は外部蓋１６の閉方向に第２キー４２の突条が係止されるように突条が形成され、外部蓋１６の開方向に第２キー４２の傾斜面が接触すると乗り越えるように傾斜面が形成される。
【００５０】
また、上記第１キー４０は、第２キー４２と共に回転力伝達部１８を構成する第１傾斜部５１及び第１傾斜部５１よりも高い第２傾斜部５２を含んで構成することができる。
【００５１】
上記第１傾斜部５１は、第２キー４２と噛合されて外部蓋１６に所定力以上の力を加えるときだけ外部蓋１６の回転力が内部蓋１４に伝達されるように構成され、開方向には傾斜面５１ａが形成されて閉方向には突条５１ｂが形成される。
【００５２】
上記第２傾斜部５２は、スペーサー１５により外部蓋１６が上側に位置した状態で閉方向にだけ外部蓋１６の回転力が内部蓋１４に伝達されて開方向では外部蓋１６が空回転するように構成され、開方向では第１傾斜部５１の傾斜面５１ａよりもその高さの高い傾斜面５２ａが形成されて閉方向には突条５２ｂが形成される。この時、上記各傾斜面５１ａ、５２ａの表面は平面または曲面などの形状が可能である。
【００５３】
そして、上記第２キー４２は、第１傾斜部５１及び第２傾斜部５２にそれぞれ対応して第１キー部５３及び第２キー部５４を含んで構成することができる。ここで、第２キー部５４は開方向に傾斜面を形成する。
【００５４】
また、上記第１キー部５３及び第２キー部５４は、図８に示したように、第１傾斜部５１及び第２傾斜部５２の各傾斜面５１ａ、５２ａに干渉されることを防止するために外部蓋１６の底面からの高さを相違に構成することができる。即ち、上記第１傾斜部５１に対応する第１キー部５３の高さを上記第２傾斜部５２に対応する第２キー部５２の高さよりも高く形成することができる。
【００５５】
この時、上記スペーサー１５が設けられた状態で第１傾斜部５１と第１キー部５３は重畳されず上記第２傾斜部５２は第２キー部５２と一部分が重畳されるように形成することで、外部蓋１６が閉方向に回転する場合、上記第２キー部５２が第２傾斜部５２の突条５２ｂに係止されて外部蓋１６の回転力が内部蓋に伝達される。
【００５６】
また、上記第１キー部５３及び第２キー部５４は、図７ｃに示したように、蓋を中心に位相差を有して構成される。
【００５７】
以下、本発明の第１の実施例に係る容器蓋の作動に関して詳しく説明する。
【００５８】
まず、本発明に係る容器蓋が容器に取り付けられた場合、図４及び図１０に示したように、内部蓋１４と外部蓋１６がスペーサー１５によって一定間隔を維持するので外部蓋１６に力を加えても第１キー４０及び第２キー４２が互いに噛合が不可能になり、よって、外部蓋１６は内部蓋１４に対して開方向では回転力伝達が不可能で空回転だけが可能になる。ここで、もちろん逆回転伝達部の構成により外部蓋１６の回転力を内部蓋１４へ伝達することは可能であるので容器への取り付けは可能である。
【００５９】
一方、容器蓋を容器１０から分離しようとする場合、使用者は保護板１３を外部蓋１６から分離する。
【００６０】
保護板１３が外部蓋１６から分離されると、図９及び図１１に示したように、スペーサー１５が除去されて外部蓋１６が下側に下降する。このように外部蓋１６が下降した後、使用者が下側に所定の力を加えずに使用者が外部蓋１６を開方向に回転させると外部蓋１６の第２キー４２は第１キー４０の傾斜面側へ移動する。
【００６１】
そして、外部蓋１６の第２キー４２は、図９に示したように、第１キー４０の傾斜面を乗り越えるので保護板１３が除去された状態で外部蓋１６が下降した後でも外部蓋１６は内部蓋１４に対して空回転するようになる。
【００６２】
一方、使用者が外部蓋１６に対し下側に所定の力を加えると、図１３に示したように、第１キー４０と第２キー４２が噛合するようになり、外部蓋１６を開方向に回転させると外部蓋１６の回転力が内部蓋１４に伝達されて内部蓋１４が回転して容器入口１２から分離される。
【００６３】
一方、上記第１キー４０が図７及び図８に示したような構造を有する場合の作動過程を説明すれば次の通りである。
【００６４】
まず、保護板１３が除去される前は、図１４に示したように、スペーサー１５によって外部蓋１６が上側に上昇された状態になり、外部蓋１６を開方向に回転させると、第２キー４２は第２傾斜部５２の傾斜面５２ａを乗り越えるようになる。この時、外部蓋１６を閉方向に回転させると、図１５に示したように、第２キー４２、即ち、第２キー４２の第２キー部５４が第２傾斜部５２の突条５２ｂに係止されて外部蓋１６の回転力が内部蓋１４に伝達される。
【００６５】
一方、保護板１３が除去された後は、外部蓋１６が下側へ一部移動して図１４に示したような状態となる。
【００６６】
この時、使用者が外部蓋１６に下側へ力を加えてない状態で開方向へ回転させると、第２キー４２、即ち、第２キー４２の第１キー部５３及び第２キー部５４は第１キー４０の第１傾斜部５１と第２傾斜部５２の傾斜面５１ａ、５２ａを乗り越えるようになって開方向では空回転する。
【００６７】
そして、使用者が外部蓋１６に下側へ力を加えて開方向に回転させると、第２キー４２、即ち、第２キー４２の第１キー部５３及び第２キー部５４は、図１５に示したように、第１キー４０の第１傾斜部５１と第２傾斜部５２と噛合されて外部蓋１６の回転力が内部蓋１４に伝達されるので容器蓋は容器１０から分離される。
【００６８】
一方、本発明に係る容器蓋は、内部蓋がシーリング部材を除去してその内部に収納するシーリング部材除去ユニットを備える等、内部蓋または外部蓋に様々な機能を備えることができる。
【００６９】
以下、本発明の第２の実施例に係る容器蓋は、第１の実施例に係る容器蓋の構成に、内部蓋１４に形成され内部蓋１４を容器入口１２から分離すると容器入口１２にシーリングされるシーリング部材２０を除去し除去されたシーリング部材２０を内部蓋１４内部に収納するシーリング部材除去ユニット２２を追加含むことを特徴とする。
【００７０】
ここで、本発明の第２の実施例に係る容器蓋は、シーリング部材除去ユニット２２を追加備えることの他には第１の実施例と同一構成を有するので、同一構成要素に対しては同じ符号を付与して詳細な説明を省略する。
【００７１】
上記シーリング部材除去ユニット２２は、内部蓋１４の内部に上下方向へ移動可能に配置されて使用者が押す押圧板２４と、押圧板２４の下面縁部に円周方向に形成されて押圧板２４を押すとシーリング部材２０を突抜いて入り蓋が回転するとシーリング部材２０をカッティングするカッター２６と、押圧板２４の下面に下側方向に突出してカッター２６によりカッティングされたシーリング部材２０を本体１６の内部に収納するようにシーリング部材２０が係止される係止部２８と、押圧板２４の外周面と内部蓋１４の内周面間に連結されて押圧板２４が上下方向へ移動できるようにガイドし自体弾性力により押圧板２４の移動された位置を支持する連結部３０と、により構成される。
【００７２】
上記押圧板２４は、内部蓋１４の内径より小さな直径を有する円板状に形成される。
【００７３】
上記カッター２６は、内部蓋１４の回転によりシーリング部材２０をカッティングするための構成であって、図示したように、押圧板２４の下面縁部に等間隔を有して複数形成される支持部２６ａと、支持部２６ａの下端に尖って形成されて押圧板２４を押すと下側方向へ移動しながらシーリング部材２０を突抜いて入る第１カッティング部２６ｂと、支持部６０の両側面中少なくとも何れか一方側面に形成されて内部蓋１４が回転すると容器入口１２の内周面に接触した状態で回転しながらシーリング部材２０を円形にカッティングする第２カッティング部２６ｃと、により構成される。
【００７４】
上記係止部２８は、図示したように、押圧板２４の下面に所定長さだけ延長形成されてシーリング部材２０を突抜いて入る支持ロード２８ａと、支持ロード２８ａの側面に少なくとも一つ以上形成されてカッター２６によりカッティングされたシーリング部材２０が内部蓋１４の内部に収納されるようにシーリング部材２０が係止される係止突起２８ｃと、により構成される。
【００７５】
ここで、上記支持ロード２８ａは、押圧板２４の下側方向に延長されるバータイプに形成され、その端部にはシーリング部材２０を突抜いて入ることができるように尖った形態のパンチ部２８ｂが形成される。
【００７６】
上記係止突起２８ｃは、上側方向に撓むことができる弾性変形が可能な形態に形成され、シーリング部材２０を突抜いて入る時は上側方向に撓みながらパンチ部２８ｂにより空いた穴を通過しながらシーリング部材２０の内側に入り、シーリング部材２０の内側に入った後は元の状態に復帰してシーリング部材２０の内側面に係止される。
【００７７】
このような係止突起２８ｃは支持ロード２８ａの両方側面に所定長さだけ直角方向に延長して形成され、支持ロード２８ａの側面に少なくとも一つ以上形成される。
【００７８】
上記連結部３０は、内部蓋１４の内周面と押圧板２４の外周面間を連結するドーム形態の薄い膜に形成されて、押圧板２４を所定力以上で押すと弾性変形しながら押圧板２４が下側方向へ移動するようにガイドする。
【００７９】
このような連結部３０は押圧板２４の現在位置を弾性的に維持する。即ち、押圧板２４が押圧されてない位置である上側方向に突出して位置された場合、連結部３０は膨らんだドーム形態を維持しながら押圧板２４の現在位置を維持させる。そして、押圧板２４を所定力以上で押すと凹んだ形態に弾性変形しながら押圧板２４が押圧された位置を維持する。
【００８０】
一方、上記外部蓋１６と内部蓋１４との間隔を維持させるスペーサー１５は、図１７に示したように、押圧板２４の上面に支持されるように設けられるか、押圧板２４を連結する連結部３０側に設けられる。
【００８１】
上記のような構成を有するシーリング部材除去ユニット２２の作動に関して説明すれば次の通りである。ここで、本発明の第２の実施例に係る容器蓋の全体的な作動はシーリング部材除去ユニットを除いては第１の実施例と同様であるので説明を省略する。
【００８２】
本発明の第２の実施例に係る容器蓋の場合、シーリング部材除去ユニット２２の押圧板２４は保護板１３によって被覆されるので保護板１３が除去された後でシーリング部材２０を除去するために押すことが可能になる。
【００８３】
従って、使用者はシーリング部材除去ユニット２２を利用してシーリング部材２０を除去しようとする場合は外部蓋１６から保護板１３を除去する。
【００８４】
そして、使用者が押圧板２４に力を加えて押すと、連結部３０の弾性作用により下側へ移動され、下側へ移動された押圧板２４の底面に設けられた係止部２８及びカッター２６は、図２１または図２３に示したようにシーリング部材２０を突抜いて入るようになる。
【００８５】
この時、係止部２８の係止部材２８ｃは、シーリング部材２０を突抜いて入る時上側方向に撓みながらパンチ部２８ｂにより空いた穴を通過してシーリング部材２０の内側に入り、シーリング部材２０の内側に入った後は元の状態に復帰しながらシーリング部材２０の内側面に係止される。
【００８６】
このような状態で使用者が外部蓋１６を下側へ力を加えて開方向に回すと、第１キー４０と第２キー４２が噛合され外部蓋１６の回転力が内部蓋１４に伝達されて内部蓋１４が回転される。この時、内部蓋１４の回転によりカッター２６はシーリング部材２０を円周方向にカッティングする。
【００８７】
使用者が容器蓋を容器１０から分離される時まで回して容器入口１２から分離させると、カッティングされたシーリング部材２０は係止部２８に係止された状態を維持するので、内部蓋１４と共に容器入口１２から分離される。
【００８８】
一方、上記スペーサーは、上記外部蓋と上記内部蓋間に設けられて上記外部蓋を所定力以上で下側方向へ移動させて上記外部蓋の開方向の回転力を上記内部蓋に伝達しても上記外部蓋が上記内部蓋に対して開方向に空回転だけができるように上記外部蓋と上記内部蓋との間隔を維持させる構成であって様々な構成が可能である。
【００８９】
以下、本発明の第３の実施例に係る容器蓋に関して添付された図面を参照して詳細に説明する。
【００９０】
図２４は本発明の第３の実施例に係る容器蓋を示した断面図、図２５は図２４の容器蓋から保護板が除去された状態を示した断面図、図２６〜図２９は図２４の容器蓋の第１キー及び第２キーの作動過程を示した概念図、である。
【００９１】
本発明の第３の実施例に係る容器蓋は、スペーサー及び逆回転力伝達部の構成を除いては第２の実施例の構成と同様であるので、スペーサー及び逆回転力伝達部の構成に対して説明し、その他の構成については説明を省略する。もちろん、第３の実施例の構成を第１の実施例に適用することができる。
【００９２】
上記スペーサー２５０は、内部蓋１４の上面または保護板１３の底面から突出形成される環状のリング部を含んで構成される。図２４及び図２５は、リング部が内部蓋１４の上面から突出形成された例を示したものである。
【００９３】
上記リング部は内部蓋１４の上面または保護板１３の底面から突出形成されるので、外部蓋１６の第２キー４２と内部蓋１４の第１キー４０は互いに噛合せず間隔を維持する。
【００９４】
上記リング部の高さは、外部蓋１６の第２キー４２と内部蓋１４の第１キー４０間の間隔が相互接触しない程度の大きさを有するか、一部接触する程度の大きさを有するように構成される。
【００９５】
この時、上記外部蓋１６の第２キー４２と内部蓋１４の第１キー４０間の間隔を相互接触しない程度の大きさにする場合は、容器への結合を容易にするために上述した逆回転力伝達部を追加備えることが好ましい。
【００９６】
一方、上記外部蓋１６の第２キー４２と内部蓋１４の第１キー４０間の間隔が相互接触する程度の大きさにする場合は、外部蓋１６を回転させても第１キー４０を第２キー４２が乗り越えて回転力が内部蓋１４に伝達されることを防止するように開方向に傾斜面４０ｂが形成される。
【００９７】
上記傾斜面４０ｂは、使用者が外部蓋１６から内部蓋１４側に力を加えても、図２７に示したように、外部蓋１６を回転させる時、第２キー４２の終端が乗り越えて回転力が内部蓋１４に伝達されることを防止するように適当な深さに形成される。上記傾斜面４０ｂの深さは外部蓋１６及び内部蓋１４の公差及び変形を考慮して適当な値に選択される。
【００９８】
従って、上記スペーサー２５０によって外部蓋１６の第２キー４２と内部蓋１４の第１キー４０が互いに噛合せず間隔を維持するようになって、使用者が外部蓋１６を回しても内部蓋１４に回転力が伝達されず保護板１３を除去しないと開封が不可能になる。
【００９９】
一方、使用者が容器蓋を容器から開封しようとするときは、次のような過程により容器蓋が容器から分離される。
【０１００】
まず、第１の実施例または第２の実施例と同様に、使用街が保護板１３を除去すると、図２８に示したような状態になって、使用者が外部蓋１６を回転させても、第１キー４０の傾斜面によって外部蓋１６の回転力が内部蓋１４に伝達されない。
【０１０１】
この時、使用者が外部蓋１６から内部蓋１４側に力を加えると、外部蓋１６が内部蓋１４側に移動するので、図２９に示したように、第１キー４０と第２キー４２が互いに噛合して使用者が外部蓋１６を回転させる外部蓋１６の回転力が内部蓋１４に伝達される。ここで、容器蓋を構成する外部蓋１６及び内部蓋１４はすべてプラスチック材質のように変形可能な材質により構成されるので、使用者が力を加えると、相互変形によって第１キー４０と第２キー４２が噛合するようになる。
【０１０２】
一方、上記スペーサー２５０は一度除去された後は原状回復が不可能であるので、使用者はスペーサー２５０の有無によって容器蓋の開封可否を確認することができる。
【０１０３】
上記スペーサーは、環状のリング部の他にも様々な変形が可能である。
【０１０４】
以下、本発明の第４の実施例に係る容器蓋に関して詳細に説明する。
【０１０５】
図３０は本発明の第４の実施例に係る容器蓋を示した断面図、図３１は図３０の容器蓋からスペーサー３５０が除去された状態を示した断面図、である。
【０１０６】
本発明の第４の実施例に係る容器蓋は、スペーサー３５０以外の構成は類似するのでスペーサーに関してだけ簡単に説明する。
【０１０７】
上記スペーサー３５０は、外部蓋１６の下端付近または内部蓋１４の下端付近に分離可能に設けられる。
【０１０８】
この時、上記スペーサー３５０は、外部蓋１６の第２キー４２及び内部蓋１４の第１キー４０の間隔を図２６及び図２７に示したような状態で維持させる。
【０１０９】
上記スペーサー３５０は、例えば、図３０に示したように、外部蓋１６の下端に一つ以上のブリッジ３５１により連結され、内部蓋１４または容器により支持されて外部蓋１６の第２キー４２及び内部蓋１４の第１キー４０を一定間隔に維持させるスカート形態に構成される。
【０１１０】
この時、上記スペーサー３５０はスカート形態の他に外部蓋１６と切開により分離される凹溝（切り目）が形成された状態で結合されるなど様々な変形ができる。
【０１１１】
一方、図３１に示したように、上記スカート形態のスペーサー３５０が除去された場合、第３の実施例と同様に、使用者が外部蓋１６から内部蓋１４側に力を加えると、外部蓋１６が内部蓋１４側へ移動できるようになって、図２９に示したように、第１キー４０と第２キー４２が噛合して使用者が外部蓋１６を回転させる外部蓋１６の回転力が内部蓋１４に伝達される。ここで、容器蓋を構成する外部蓋１６及び内部蓋１４はすべてプラスチック材質にように変形可能な材質で構成されるので使用者が力を加えると相互変形によって第１キー４０と第２キー４２が噛合する。
【０１１２】
一方、上記スペーサー３５０は一度除去されると原状回復が不可能であるので使用者はスペーサー３５０の有無によって容器蓋の開放可否を確認することができる。
【０１１３】
一方、本発明に係る容器蓋は内部蓋と外部蓋が空回転するように結合されるので、容器との結合時、外部蓋が回転するときに閉方向には回転力の伝達ができるように逆回転力伝達部を備えることが好ましい。
【０１１４】
上記逆回転力伝達部は、外部蓋が回転する時に閉方向に回転力の伝達を可能にする構成であればいかなる構成でもできる。
【０１１５】
以下、本発明の第５の実施例に係る容器蓋に関して詳細に説明する。
【０１１６】
図３２は本発明の第５の実施例に係る容器蓋を示した断面図で、図３３及び図３４は図３２のIV−IV方向を示した断面図で、ある。
【０１１７】
本発明の第５実施例に係る容器蓋は、逆回転力伝達部の構成の他は第３実施例に係る容器蓋と類似した構成を有するので、説明の便宜上、逆回転力伝達部に関して具体的に説明する。ここで、第５実施例に係る容器蓋は第３実施例とは相違に押圧板を備えてないものを例に挙げて説明する。
【０１１８】
ここで、上記スペーサー２５０は内部蓋１４の上面または保護板１３の底面（本実施例では内部蓋１４の上面）から突出形成されて円周方向に一つ以上切り目が入った切欠部２５１が形成された環状のリング部を有する。
【０１１９】
特に、上記スペーサー２５０はそれぞれの曲率を有する複数の円形プレートに構成されるか、図３２〜図３４に示したように、仮想円Ｃ１を形成する複数の板状プレート２５２に構成される。
【０１２０】
上記逆回転力伝達部は、図３２〜図３４に示したように、内部蓋１４の閉方向にだけスペーサー２５０であるリング部の切欠部２５１に係止されるように外部蓋１６の内面または内部蓋１４の外面に形成される一つ以上の逆回転突起部２６０を含んで構成される。ここで、上記スペーサー２５０が内部蓋１４に形成された場合上記逆回転突起部２６０は外部蓋１６の内面に形成され、上記スペーサー２５０が外部蓋１６に形成された場合は上記逆回転突起部２６０は内部蓋１４の外面に形成される。
【０１２１】
上記逆回転突起部２６０は、内部蓋１４の閉方向にだけリング部の切欠部２５１に係止される係止面２６１と、係止面２６１から開方向に上記リング部の切欠部２５１から遠ざかるように形成された傾斜面２６２と、を含んで構成される。
【０１２２】
例えば、上記スペーサー２５０は、図３２〜図３４に示したように、内部蓋１４の上面に保護板１３を支持するように環状のリング部に形成されて、外周面または内周面から力が加えられる時、容易に撓むようにその厚さが薄くて複数個の切欠部２５１が形成される。
【０１２３】
この時、上記スペーサー２５０は、仮想円Ｃ１を基準にして切欠部２５１中の閉方向に向ける側２５１ａは仮想円Ｃ１の外側、逆回転突起部２６０側に更に突出することが好ましい。且つ、上記スペーサー２５０は仮想円Ｃ１を基準に切欠部２５１中の開方向に向ける側２５１ｂは仮想円Ｃ１よりも内側に形成されることがより好ましい。
【０１２４】
上記逆回転力伝達部を構成する逆回転突起部２６０は一つ以上に構成されて、外部蓋１６の内面に形成される。
【０１２５】
この時、上記逆回転突起部２６０は切欠部２５１中の閉方向に向ける側２５１ａと係止できるように形成された係止面２６１を含む。ここで、上記逆回転突起部２６０には、外部蓋１６が内部蓋１４に妨害されずに開方向への空回転が円滑になるように係止面２６１から開方向に上記リング部の切欠部２５１から遠ざかるように形成された傾斜面２６２が形成されることが好ましい。
【０１２６】
上記のような構成により外部蓋１６が閉方向に回転すると、図３３に示したように、係止面２６１とスペーサー２５０の切欠部２５１中の閉方向に向ける側２５１ａと係止されて外部蓋１６の回転力が内部蓋１４に伝達される。
【０１２７】
ところが、内部蓋１６が開方向に回転すると、図３４に示したように、係止面２６１はスペーサー２５０の切欠部２５１中の開方向に向ける側２５１ｂへ向かう時、傾斜面２６２によりスペーサー２５０を内側に押して外部蓋１６の回転力が内部蓋１４に伝達されることを防止する。
【０１２８】
図３５は、図３２の容器蓋においてスペーサー及び逆回転力伝達部の変形例で外部蓋が閉方向に回転する時を示した概念図、図３６は、図３５の容器蓋において外部蓋が開方向に回転する時を示した概念図、図３７は、図３５の容器蓋において外部蓋が閉方向に回転する時を示した概念図、である。
【０１２９】
一方、上記スペーサー２５０及び逆回転力伝達部は様々な変形が可能で、図３５〜図３７に示したように、上記スペーサー２５０は環状のリング部に構成され、上記逆回転力伝達部はスペーサー２５０の環状のリング部の外周面に形成された一つ以上の第１突起部３６３と、外部蓋１６に形成されて第１突起部３６３と閉方向にだけ係止される一つ以上の第２突起部３６４と、により構成される。
【０１３０】
上記第１突起部３６３及び第２突起部３６４は、閉方向に相互対向する面はそれぞれ突条３６３ａ、３６４ａを形成して、開方向であるその反対面はそれぞれ傾斜面３６３ｂ、３６４ｂを形成することが好ましい。
【０１３１】
上記のような逆回転力伝達部は外部蓋１６が回転することによって第２突起部３６４が回転され、外部蓋１６が閉方向に回転する場合、図３５に示したように、上記第１突起部３６３及び第２突起部３６４はそれぞれの突条３６３ａ、３６４ａが相互係止されて外部蓋１６の回転力が内部蓋１４に伝達されて容器蓋が容器に結合される。
【０１３２】
一方、外部蓋１６が開方向に回転する場合、図３６に示したように、上記第１突起部３６３及び第２突起部３６４はそれぞれの傾斜面３６３ｂ、３６４ｂが相互接触するので弾性変形により各傾斜面を乗り越えて外部蓋１６の回転力が内部蓋１４に伝達されることを防止する。
【０１３３】
また、上記保護板１３は、図３７に示したように、使用者が外部から外部蓋１６側に形成された第２突起部３６４を観察することができるように、切欠部１３ａが形成される。
【０１３４】
図３８は本発明の第６実施例に係る容器蓋を示した断面図、図３９は図３８の分解状態を示した断面図、図４０は図３８の容器蓋が容器蓋に結合された状態を示した断面図、図４１は図３８の容器蓋の内部蓋を示した斜視図、である。
【０１３５】
本発明の第６実施例に係る容器蓋は逆回転力伝達部の構成の他は第３の実施例に係る容器蓋と同様の構成を有するので、説明の便宜上、逆回転力伝達部に関して具体的に説明する。ここで、第５の実施例に係る容器蓋は第３の実施例とは相違して押圧板を備えないものを例に挙げて説明する。
【０１３６】
上記逆回転力伝達部は、内部蓋１４（第６実施例）または外部蓋１６の底面に所定力以上が加えられると分離または破壊されるように形成された一つ以上の第１突起部３６１と、外部蓋１６が閉方向に回転する時内部蓋１４に回転力を伝達するように第１突起部３６１に対応して接するように外部蓋１６の内面または内部蓋１４の外面に形成された一つ以上の第２突起部３６２と、を含んで構成される。
【０１３７】
上記第１突起部３６１及び第２突起部３６２は、内部蓋１４及び外部蓋１６にそれぞれ形成されて、容器蓋を容器に結合させる時に内容物が外部に漏れない程度に充分に結合されるように、外部蓋１６が閉方向に回転する時内部蓋１４に回転力を伝達した後、内部蓋１４が容器に十分に結合されてそれ以上回転が不可であると、第１突起部３６１が分離または破壊されることで内部蓋１４に回転力が伝達されることが不可能になって外部蓋１６が回転しても内部蓋１４は回転しなくなる。
【０１３８】
上記第１突起部３６１及び第２突起部３６２は互いに回転力を伝達することができるように設けられ、第１突起部３６１が分離または破壊される構成であればいかなる構成でも可能で、一方が他方に挿入される構成など様々な構成が可能である。
【０１３９】
例えば、上記第１突起部３６１は内部蓋１４の上面に分離可能に突出形成され、第２突起部３６２は第１突起部３６１が挿入される凹溝部３６２ａが形成されて保護板３６２の底面に形成される。この時上記第１突起部３６１及び第２突起部３６２はスペーサーの役割も行うので別途のスペーサーを必要としない。
【０１４０】
一方、第１突起部３６１及び第２突起部３６２は内部蓋１４の上面中央の対応する位置に形成することができるが、必ずこれに限定されるものではない。
【０１４１】
上記第１突起部３６１は一つまたは複数個に構成することが可能で、第２突起部３６２の凹溝部３６２ａへの挿入が容易になるように上端の縁部は曲面に形成することが好ましい。
【０１４２】
更に、上記第１突起部３６１の水平断面は、外部蓋１６の回転力が内部蓋１４に容易に伝達できるように多角形、星形状など様々な形状を有することができる。
【０１４３】
また、上記第１突起部３６１は内部蓋１４からの分離または破壊が容易になるようにプラスチック射出時、切り目や分離溝を形成するなど所定の処理を遂行する。
【０１４４】
一方、上記第２突起部３６２も外部蓋１６の底面に所定力以上が加えられると分離または破壊されるように形成される。
【０１４５】
上記のような構成を有する容器蓋は、外部蓋１６を回転させると第１突起部３６１及び第２突起部３６２の相互結合によって回転力が伝達される。
【０１４６】
ところが、内部蓋１４は容器に結合されるとそれ以上回転できないので内部蓋１４が外部蓋１６の回転に抵抗する力が発生し、この時、第１突起部３６１は所定の力以上になると、図４０に示したように、内部蓋１４から分離される。
【０１４７】
一方、上記第１突起部３６１が分離された後は外部蓋１６を回転しても内部蓋１４への回転力伝達が不可能になるので外部蓋１６を如何なる方向に回しても内部蓋１４が回転せず、使用者は保護板１３を除去しなくては容器蓋を容器から分離することができなくなる。
【０１４８】
以上は本発明により具現することができる好ましい実施例の一部に関して説明したものに過ぎないので、周知の通り本発明の範囲を上記実施例に限定して解析するべきではなく、上記説明された本発明の技術的思想とその根本を共にする技術的思想はすべて本発明の範囲に含まれるはずである。
【図１】
2011500472.tif 000003
【図２】
2011500472.tif 000004
【図３】
2011500472.tif 000005
【図４】
2011500472.tif 000006
【図５】
2011500472.tif 000007
【図６】
2011500472.tif 000008
【図７】
2011500472.tif 000009
【図８】
2011500472.tif 000010
【図９】
2011500472.tif 000011
【図１０】
2011500472.tif 000012
【図１１】
2011500472.tif 000013
【図１２】
2011500472.tif 000014
【図１３】
2011500472.tif 000015
【図１４】
2011500472.tif 000016
【図１５】
2011500472.tif 000017
【図１６】
2011500472.tif 000018
【図１７】
2011500472.tif 000019
【図１８】
2011500472.tif 000020
【図１９】
2011500472.tif 000021
【図２０】
2011500472.tif 000022
【図２１】
2011500472.tif 000023
【図２２】
2011500472.tif 000024
【図２３】
2011500472.tif 000025
【図２４】
2011500472.tif 000026
【図２５】
2011500472.tif 000027
【図２６】
2011500472.tif 000028
【図２７】
2011500472.tif 000029
【図２８】
2011500472.tif 000030
【図２９】
2011500472.tif 000031
【図３０】
2011500472.tif 000032
【図３１】
2011500472.tif 000033
【図３２】
2011500472.tif 000034
【図３３】
2011500472.tif 000035
【図３４】
2011500472.tif 000036
【図３５】
2011500472.tif 000037
【図３６】
2011500472.tif 000038
【図３７】
2011500472.tif 000039
【図３８】
2011500472.tif 000040
【図３９】
2011500472.tif 000041
【図４０】
2011500472.tif 000042
【図４１】
2011500472.tif 000043
【国際調査報告】
2011500472.tif 000044
2011500472.tif 000045
2011500472.tif 000046